(57)【要約】【課題】  仕切体を構成する材料の弾力性の低下によって仕切り部分の潰れが生じることがなく、且つ、複数サイズの球状物品に対応可能な仕切体を提供すること。【解決手段】  仕切体１の短手方向と平行を成すよう長手方向中央に配置された直線状の中央折線２０と、中央折線２０を挟むようにして中央折線２０から相互に等距離に配置され、中央折線と平行をなすよう直線状に形成された内側折線３０および内側折線４０と、内側折線３０の中央部分に位置する基端縁３１から中央折線２０に向かって延在する領域から成り切り起こし自在とされた第１翼様部５０と、内側折線４０の両側部分に位置する基端縁４１、４１から中央折線２０に向かって延在する領域から成り切り起こし自在とされた第２翼様部５０と、を備える仕切体１とする。【選択図】図１
2010089798.tif 000002
【特許請求の範囲】
【請求項１】
一枚のシートから成り、このシートが折り曲げられることで組み立てられると共に、箱内に設置されて箱内部の空間を仕切る仕切体であって、
周縁上の異なる二点間を結ぶよう形成された直線状の中央折線と、
中央折線を挟むようにして中央折線から相互に等距離に配置され、中央折線と平行をなすよう直線状に形成された一対の内側折線と、
一方の内側折線の一部から中央折線側に向かって延在する領域から成り、この一方の内側折線の一部を基端として切り起こし自在に形成された第１翼様部と、を備えていることを特徴とする仕切体。
【請求項２】
他方の内側折線の一部から中央折線側に向かって第１翼様部の延在する距離と同じ長さだけ延在する領域から成り、この他方の内側折線の一部を基端として切り起こし自在に形成された第２翼様部を備えている、請求項１記載の仕切体。
【請求項３】
第１翼様部および第２翼様部は、それぞれが延在方向において重複しないように形成されている、請求項２記載の仕切体。
【請求項４】
中央折線および一対の内側折線を挟むようにして配置され、中央折線と平行をなすよう直線状に形成された一対の外側折線を備えており、
一方の外側折線と一方の外側折線よりも外側に位置する周縁との距離が第１翼様部の延在する距離の半分であり、
他方の外側折線と他方の外側折線よりも外側に位置する周縁との距離が第１翼様部の延在する距離の半分である、請求項１から請求項３のいずれか１項に記載の仕切体。
【発明の詳細な説明】
【技術分野】
【０００１】
本発明は、物品を箱内に梱包する際に使用される仕切体に関するものであり、より詳細には、複数サイズの球状物品に対応可能な仕切体に関するものである。
【背景技術】
【０００２】
西瓜やメロンのような球状物品を２玉単位で箱内に梱包する際に使用される仕切体として、特許文献１に示されるようなものが従来より提示されている。このようなタイプの仕切体は、球状物品同士の衝突を防止しつつ、球状物品が箱内部で動いてしまわないように箱の周壁と仕切体とで球状物品を挟持する目的で使用される。
【０００３】
ところが、特許文献１に示されるタイプの仕切体では、箱内に収納される球状物品の大きさが変わってしまうと、球状物品を箱の周壁と仕切体とで挟持できなくなってしまうため、球状物品が箱内部で動いてしまうという問題があった。このような問題を解決すべくして特許文献２に示されるような、段ボールの弾力性を利用することで仕切られる空間の大きさを容易に変更でき、複数サイズの球状物品に対応可能とされた仕切体が提案されている。
【特許文献１】特開２００１−１４６２８９号公報
【特許文献２】特開平０８−２４４８６７号公報
【発明の開示】
【発明が解決しようとする課題】
【０００４】
しかしながら、特許文献２に示されるような、段ボールシートの弾力性を利用したタイプのものでは、湿気を含むなどして段ボールシートの弾力性が低下してしまうと、仕切りを成している部分が、球状物品の動きによって掛る力に耐えられなくなり内側に潰れてしまうという問題があった。
そこで、本発明の主たる課題は、仕切体を構成する材料の弾力性の低下によって仕切り部分の潰れが生じることがなく、且つ、複数サイズの球状物品に対応可能な仕切体を提供することにある。
【課題を解決するための手段】
【０００５】
以下に、上記課題を解決するための手段とその作用効果を記述する。
〔請求項１に係る仕切体の作用〕
請求項１に係る仕切体は、
一枚のシートから成り、このシートが折り曲げられることで組み立てられると共に、箱内に設置されて箱内部の空間を仕切る仕切体であって、
周縁上の任意の二点間を結ぶよう形成された直線状の中央折線と、
中央折線を挟むようにして中央折線から相互に等距離に配置され、中央折線と平行をなすよう直線状に形成された一対の内側折線と、
一方の内側折線の一部から中央折線側に向かって延在する領域から成り、この一方の内側折線の一部を基端として切り起こし自在に形成された第１翼様部と、を備えていることを特徴とするものである。
【０００６】
請求項１に係る仕切体を用いて箱内に球状物品を収納する場合、仕切体は、中央折線で一方の方向に折り曲げられ、一対の内側折線で他方の方向に折り曲げられる。それと共に、中央折線および一方の内側折線に挟まれる領域と、中央折線および他方の内側折線に挟まれる領域とを相互に重なり合わせることによって組み立てられる。
【０００７】
このように組み立てられた仕切体においては、中央折線および一方の内側折線に挟まれる領域と、中央折線および他方の内側折線に挟まれる領域とが仕切り部分を成し、そして、仕切り部分以外の部分が、箱の底面と対向するように収納されるようになっている。
【０００８】
この一方、請求項１に係る仕切体を用いて箱内にサイズの小さい球状物品を収納する場合、仕切体は、中央折線で一方の方向に折り曲げられ、他方の内側折線で他方の方向に折り曲げられる。それと共に、中央折線および一方の内側折線に挟まれる領域と、中央折線および他方の内側折線に挟まれる領域とを相互に重なり合わないよう対向させつつ、第１翼様部を切り起こし、その基端と対向する先端を他方の内側折線に接触させて、組み立てるようにする。その結果本請求項に係る仕切体は、複数サイズの球状物品に対応可能となる。
【０００９】
このように組み立てられた仕切体は、中央折線および一方の内側折線に挟まれる領域と、中央折線および他方の内側折線に挟まれる領域とが仕切り部分を成す。それに加えて、第１翼様部の先端が他方の内側折線と接触するように切り起こされており、仕切り部分の内側に掛る力に対して第１翼様部が支えの役割を果たすので、仕切り部分が内側に向かって潰れてしまうことがない。つまり、仕切体を構成するシートの弾性力に頼らずとも仕切り部分を支えることができるため、シートの弾力性の低下によって仕切り部分の潰れが生じてしまうことがない。
【００１０】
さらに、本請求項に係る仕切体は、一枚のシートから形成されているため、製造に際して複数のラインが不要であるため、製造コストが嵩んでしまうこともない。
【００１１】
〔請求項２に係る仕切体の作用〕
本請求項に係る仕切体は、請求項１に係る仕切体と同様の構成を有しており、さらに、他方の内側折線の一部から中央折線側に向かって第１翼様部の延在する距離と同じ長さだけ延在する領域から成り、この他方の内側折線の一部を基端として切り起こし自在に形成された第２翼様部を備えている。
【００１２】
本請求項に係る仕切体は、請求項１に係る仕切体と同様の構成を有しているため、請求項１に係る仕切体と同様に作用する。さらに、本請求項に係る仕切体は、第１翼様部に加えて、他方の内側折線の一部から中央折線側に向かって第１翼様部の延在する距離と同じ長さだけ延在する領域から成り、他方の内側折線の一部を基端として切り起こし自在に形成された第２翼様部を備えていることによって、仕切体の組み立て時には、第１翼様部の先端を他方の内側折線と接触するように切り起こすと共に、第２翼様部の先端を一方の内側折線と接触するように切り起こすことができる。そうすると、第１翼様部および第２翼様部が共に支えの役割を果たすため、より大きな力が仕切り部分の内側方向に掛ったとしても、仕切り部分が内側に向かって潰れてしまうことがない。
【００１３】
〔請求項３に係る仕切体の作用〕
本請求項に係る仕切体は、請求項２に係る仕切体と同様の構成を有しており、さらに、第１翼様部および第２翼様部は、それぞれが延在方向において重複しないように形成されている。
【００１４】
本請求項に係る仕切体は、請求項２に係る仕切体と同様の構成を有しているため、請求項１に係る仕切体と同様に作用する。さらに、本請求項に係る仕切体は、第１翼様部および第２翼様部は、それぞれが延在方向において重複しないように形成されているため、それぞれが相互に干渉することなく好適な支えとして機能する。
【００１５】
〔請求項４に係る仕切体の作用〕
本請求項に係る仕切体は、請求項１から請求項３から選択される仕切体と同様の構成を有しており、さらに、
中央折線と一対の内側折線とを挟むようにして配置され、中央折線と平行をなすよう直線状に形成された一対の外側折線を備えており、
一方の外側折線と一方の外側折線よりも外側に位置する周縁との距離が第１翼様部の延在する距離の半分であり、
他方の外側折線と他方の外側折線よりも外側に位置する周縁との距離が第１翼様部の延在する距離の半分である。
【００１６】
上記のような仕切り部分を外側に広げることで仕切り部分の幅を調整するタイプの仕切体では、仕切体における中央折線の延在方向と垂直に交差する方向長さが長くなってしまうため、長くなってしまっても箱内に収容可能となるよう考慮して仕切体を設計する必要があった。本請求項記載の仕切体は、係る問題点を解決すべくして提案されたものである。
【００１７】
本請求項に係る仕切体は、請求項１から請求項３から選択される仕切体と同様の構成を有しているため、請求項１から請求項３から選択される仕切体と同様に作用する。さらに、本請求項に係る仕切体は、中央折線と一対の内側折線とを挟むようにして配置され、中央折線と平行をなすよう直線状に形成された一対の外側折線を備えることとした。このように構成することによって、一対の外側折線を他方の方向に折り曲げることで、仕切体における中央折線の延在方向と垂直に交差する方向長さを容易に短くすることができる。
【００１８】
具体的に、一方の外側折線と一方の外側折線よりも外側に位置する周縁との距離を第１翼様部の延在する距離の半分とし、他方の外側折線と他方の外側折線よりも外側に位置する周縁との距離を第１翼様部の延在する距離の半分とすることで、第１翼様部または第２翼様部を支えとして利用した際の、仕切体における中央折線の延在方向と垂直に交差する方向長さが長くなってしまった分だけ短くすることができる。
【発明の効果】
【００１９】
以上のように、本発明によれば、仕切体を構成する材料の変質によって仕切り部分の潰れが生じることがなく、且つ、複数サイズの球状物品に対応可能な仕切体を提供することができる。
【発明を実施するための最良の形態】
【００２０】
次に、本発明に係る仕切体の一実施の形態を図１〜図７に示し、これらの図に基づき本実施の形態を説明する。
図１は本実施の形態に係る仕切体１の展開状態を示す図であり、仕切体１は、複両面段ボールを矩形状に加工することで形成された折り曲げ自在なシート１０を基材としている。
【００２１】
この仕切体１の裏面側におけるシート１０の長手方向中央部には、折り曲げを容易とするように押し込まれて設けられた三角形状の溝が、シート１０の短手方向と平行を成す形で直線上に伸びており、この溝により中央折線２０が形成されている。これに伴い、この中央折線２０は、シート１０の周縁上における相互に異なる二点間を結ぶようにシート１０上に配置されていることになる。
【００２２】
仕切体１の中央折線２０を挟む中央折線２０から相互に等距離の位置には、中央折線２０とそれぞれ平行をなすよう直線状に形成された内側折線３０と内側折線４０とが配置されている。
【００２３】
内側折線３０の中央部分から中央折線２０に向かって、コ字状の切り込みであるスリット５１がシート１０に形成されており、これに伴って、内側折線３０から中央折線２０に向かって長さＷ１だけ延在する矩形状の領域から成る第１翼様部５０が、内側折線３０とスリット５１により囲まれて、シート１０に設けられている。
【００２４】
但し、スリット５１における中央折線２０側の部分は、全体に亘って切り込みが設けられているわけではなく、一部切り込みのない部分が残されており、この切り込みのない部分のシート１０を、例えば手で分離することによって、第１翼様部５０は内側折線３０を基端として切り起こすようになっている。
【００２５】
一方、内側折線４０の両側部分から中央折線２０に向かって、それぞれＬ字状の切り込みである一対のスリット６１がシート１０に形成されており、これに伴って、内側折線４０から中央折線２０に向かって長さＷ１だけ延在する矩形状の領域から成る第２翼様部６０、６０が、内側折線４０とスリット６１により囲まれて、シート１０にそれぞれ設けられている。
【００２６】
但し、スリット６１における中央折線２０側の部分は、全体に亘って切り込みが設けられているわけではなく、一部切り込みのない部分が残されており、この切り込みのない部分のシート１０を、例えば手で分離することによって、第２翼様部６０、６０は内側折線４０を基端として切り起こすようになっている。
【００２７】
第１翼様部５０と一対の第２翼様部６０とは、それぞれが延在方向において重複しないようになっており、後述する組み立て時においてそれぞれが干渉しないようになっている。また、第１翼様部５０における仕切体１の短手方向長さはＷ３とされ、且つ、第１翼様部６０における仕切体１の短手方向長さはＷ４とされており、第１翼様部５０および第２翼様部６０、６０は、それぞれにおける仕切体１の短手方向長さを加えると仕切体１の短手方向の長さＷ５と同じ長さになるように形成されている。つまり、式で表すと、Ｗ３＋Ｗ４＋Ｗ４＝Ｗ５、となっている。
【００２８】
他方、仕切体１には、中央折線２０および一対の内側折線３０、４０を挟み且つ、中央折線２０と平行をなすよう直線状に形成された一対の外側折線７０、７０が配置されている。これらの外側折線７０、７０は仕切体１の長手方向両端縁から、長さＷ１の半分の長さである長さＷ２だけ離間して配置されている。
【００２９】
図２に示すように、シート１０の表面側における一対の内側折線３０、４０と一対の外側折線７０、７０とに対応する位置には、中央折線２０と同様に、シート１０の折り曲げを容易とする三角形状の溝が押し込み形成されている。
【００３０】
次に本実施の形態に係る仕切体１の組み立て形態および作用を説明する。
まず、サイズの大きい球状物品を箱内に収納する場合における第１の組み立て形態について説明する。図４に示すように、第１の組み立て形態においては、仕切体１は、中央折線２０で裏面同士が対向し合う方向に１８０度折り曲げられ、一対の内側折線３０、４０で表面同士が対向し合う方向に９０度折り曲げられる。それと共に、中央折線２０および内側折線３０に挟まれる領域と、中央折線２０および内側折線４０に挟まれる領域とを相互に重なり合わせることによって組み立てられる。
【００３１】
このように組み立てられた仕切体１においては、図４および図５に示すように、中央折線２０および内側折線３０に挟まれる領域と、中央折線２０および内側折線４０に挟まれる領域とが仕切り部分２を成し、そして、仕切り部分２以外の部分である物品の受け部３が、箱２００の底面と対向するように収納されるようになっている。
【００３２】
次に、サイズの小さい球状物品を箱内に収納する場合における第２の組み立て形態について説明する。図６および図７に示すように、第２の組み立て形態においては、仕切体１は、中央折線２０で裏面同士が対向し合う方向に折り曲げられ、一対の内側折線３０、４０で表面同士が対向し合う方向に折り曲げられる。それと共に、中央折線２０および内側折線３０に挟まれる領域と、中央折線および内側折線４０に挟まれる領域とを相互に重なり合わないよう対向させる。そして、第１翼様部５０を切り起こし、その基端である基端縁３１と対向する第１翼様部５０の先端を、内側折線４０における一対の基端縁４１に挟まれる部分に接触させつつ、第２翼様部６０を切り起こし、その基端である基端縁４１と対向する第２翼様部の先端を、内側折線３０における基端縁３１を除く部分に接触させることによって、仕切体１は組み立てられる。
【００３３】
このように組み立てられた仕切体１においては、図６および図７に示すように、中央折線２０および内側折線３０に挟まれる領域と、中央折線２０および内側折線４０に挟まれる領域とが仕切り部分２を成し、そして、仕切り部分２以外の部分である物品の受け部３が、箱２００の底面と対向するように収納される。
【００３４】
第２の組み立て形態においては、図６および図７に示すように、仕切り部分２における受け部３側の幅が広くなっていると共に、広くなった部分が第１翼様部５０および第２翼様部６０、６０によって支えられているため、仕切り部分２の内側に力が掛ってしまっても潰れてしまうことがない。この結果、仕切体１は、第１の組み立て形態と第２の組み立て形態とを使い分けることによって、複数サイズの球状物品に対応可能となる。
【００３５】
第２の組み立て形態においては、図６および図７に示すように、仕切り部分２における受け部３側の幅が広くなるため、第１の組み立て形態と比べて仕切体１の長手方向の長さが長くなる。そうすると、第１の組み立て形態では箱２００に収納可能であっても、第２の組み立て形態では箱２００に収納できないという問題が生じる可能性がある。そこで、第２の組み立て形態においては、図６および図７に示すように、一対の外側折線７０、７０を表面同士が対向し合う方向に９０度折り曲げることで仕切体１の長手方向両端縁側を起立させ、仕切体１の長手方向の長さを短くすることを可能とした。
【００３６】
なお、一対の外側折線７０、７０を仕切体１の長手方向両端縁から、長さＷ１の半分の長さである長さＷ２だけ離間して配置することとしたのは、このように配置することで、第２の組み立て形態において、仕切体１の長手方向の長さが長くなった分だけ、仕切体１の長手方向の長さを短くできるようになるからである。短くしたい長さを変えたい場合は、外側折線７０、７０の配置を変更しても良い。また、外側折線７０、７０は、片側だけに形成しても良い。
【００３７】
さらに、本実施の形態に係る仕切体１は、一枚のシート１０から形成可能としたため、製造に際して複数のラインが不要であるため、製造コストが嵩んでしまうことがない。シート１０は、片面段ボールや両面段ボールから構成されていても良いが、第１翼様部５０および第２翼様部６０が好適な支えとして機能するよう、強度の高い複両面段ボールを適用することが好ましい。
【００３８】
符号８０は、シート１０を形成する段ボール材の段の目の方向を示しており、段の目は仕切体１の長手方向に沿うようにされている。このように、段の目が仕切体１の長手方向に沿うようにされていることによって、第２の組み立て形態における仕切り部分２の内側に掛る力に対する第１翼様部５０および第２翼様部６０、６０の強度を好適に確保することができる。
【００３９】
他方、本実施の形態に係る仕切体１においては、図８に示すように、第１翼様部５０および第２翼様部６０、６０に、それらの基端縁と平行に形成され、且つそれらの基端縁から長さＷ６だけ離間して、第１翼様部５０および第２翼様部６０、６０の一部を切離し可能とする切取線５５、６５、６５を形成することもできる。このように、切取線５５、６５、６５形成することによって、第１翼様部５０および第２翼様部６０、６０の一部をそれぞれ切取線５５、６５、６５で切り離すことによって、仕切体１の第２の組み立て形態における長手方向の長さを容易に短くすることもできる。
【００４０】
なおこの場合、外側折線７０、７０と共に、仕切体１の長手方向両端縁から、長さＷ６の半分の長さである長さＷ７だけ離間して外側折線７５を配置しても良い。
【図面の簡単な説明】
【００４１】
【図１】本発明の一実施の形態に係る仕切体の平面図である。
【図２】本発明の一実施の形態に係る仕切体をＡ−Ａ方向から見た要部拡大図である。
【図３】本発明の一実施の形態に係る仕切体の斜視図である。
【図４】本発明の一実施の形態に係る仕切体の第１の組み立て形態の斜視図である。
【図５】本発明の一実施の形態に係る仕切体の第１の組み立て形態における箱内に収納されている様子を示す斜視図である。
【図６】本発明の一実施の形態に係る仕切体の第２の組み立て形態の斜視図である。
【図７】本発明の一実施の形態に係る仕切体の第２の組み立て形態における箱内に収納されている様子を示す斜視図である。
【図８】本発明の他の実施の形態に係る仕切体の平面図である。
【符号の説明】
【００４２】
１      仕切体
１０    シート
２０    中央折線
３０    内側折線
４０    内側折線
５０    第１翼様部
６０    第２翼様部
７０    外側折線
【図１】
2010089798.tif 000003
【図２】
2010089798.tif 000004
【図３】
2010089798.tif 000005
【図４】
2010089798.tif 000006
【図５】
2010089798.tif 000007
【図６】
2010089798.tif 000008
【図７】
2010089798.tif 000009
【図８】
2010089798.tif 000010